(57)【要約】【課題】本発明は、抜止ピンが露出することなく、かつ可燃物質よりなる紐と益体との組合せの綴じ具による日捲りカレンダーを提供することを目的とするものである。【解決手段】本発明は、冊子３に貫通される複数の貫通孔７に対応されるとともに、該貫通孔７に挿入可能とされる背板１０、あるいは表板９の内側面に突設される筒体部１２と、前記筒体部１２の開口端内に係留可能とされる前記表板９、あるいは背板１０の内側面に突設される係止ピン１３と、天板８の両側端に前記冊子３上端面との間に前記紐体１７を収納する空隙を形成するために設けられる覆板１６と、前記天板８の上面に貫設される紐挿通孔１４を備える。【選択図】図１
2008105183.tif 000002
【特許請求の範囲】
【請求項１】
可燃性素材によって表板、背板および天板が略９０度ごとに折り曲げ形成される枠体と該枠体の天板に取り付けられる紐体とから構成される綴じ具と、該綴じ具の枠体に挟持される多数枚の日捲り紙を重ねて引き揃えた冊子とを備える日捲りカレンダーおいて、
前記冊子に貫通される複数の貫通孔に挿入可能とされる前記背板、あるいは表板の内側面に突設される筒体部と、
前記筒体部の開口端内に係留可能とされる前記表板、あるいは背板の内側面に突設される係止ピンと、
前記天板の両側端に前記冊子上端面との間に前記紐体を収納する空隙を形成するために設けられる覆板と、
前記天板の上面に紐挿通孔を備える
ことを特徴とする日捲りカレンダー。
【請求項２】
前記表板、あるいは背板と天板との接続部に、表板、あるいは背板を開閉自在とされる溝部を形成する
ことを特徴とする請求項１記載の日捲りカレンダー。
【請求項３】
前記枠体が可燃性の合成樹脂素材によって一体成型される
ことを特徴とする請求項１または２記載の日捲りカレンダー。
【請求項４】
前記冊子の日捲り紙に、ファイルとして保存するためのパンチ穴を設ける
ことを特徴とする請求項１、２または３記載の日捲りカレンダー。
【請求項５】
前記冊子の日捲り紙の空白部分を切り離し可能なメモ用紙として活用する
ことを特徴とする請求項１、２または３記載の日捲りカレンダー。
【発明の詳細な説明】
【技術分野】
【０００１】
本発明は、使用後に分別をせずに一般ゴミとして廃棄処理できる日捲りカレンダーに係るものである。
【０００２】
従来より、日捲りカレンダーは、多数枚の日捲り紙を重ねて引き揃えた冊子の上端縁部を金属製の綴じ具により挟着された構造のものが多い。
【０００３】
しかし使用後の日捲りカレンダーを廃棄する場合には、冊子の上端縁部が金属製の綴じ具によって挟着されているために、可燃物である冊子の上端縁や紐と不燃物である金属製の綴じ具との分別が必要となり、金属製の綴じ具の取り外しに非常に手間がかかると共に、綴じ具によって手を切るなどの問題があった。
【０００４】
そこで可燃性の素材で形成した綴じ具を使用したカレンダーとして、例えば、図５に示すものがある。このカレンダーの綴じ構造は、金属製ホッチキス１０７により強化したカレンダーシートの丁合体１０１に貫通孔１０２を設け、この貫通穴１０２にコの字状の溝形部材１０３の裏板１０４に形成した筒部１０５を挿入した状態で、筒部１０５に抜止ピン１０６を圧入して、丁合体１０１を綴じ合わせる構造とし、このとき使用する綴じ具としての溝形部材１０３および抜止ピン１０６を可燃性の合成樹脂で形成した構成とされる（特許文献1参照。）。
【０００５】
【特許文献１】特開２００６−２３１８８４号公報（要約書、第１図）
【発明の開示】
【発明が解決しようとする課題】
【０００６】
しかしながら前記構成の綴じ具では、カレンダーシートの丁合体１０１に貫通孔１０２を設け、この貫通穴１０２に抜止ピン１０６を挿通した状態で筒部１０５を挿入することから前記抜止ピン１０６の頭部が溝形部材１０３の表面に露出することになり、輸送中の衝撃や物の接触により抜止ピン１０６が破損・脱落する恐れがある。
【０００７】
また、日捲りカレンダーは自社の広告を入れた会社の贈答品として取扱われることが多く、そのためにできるだけコストを低くする必要性がある。このために多くは金属製の綴じ具が使用されているのが現状ではあるが、合成樹脂製の綴じ具を使用する場合には、できるだけコストを下げるために部品点数を少なくする必要があるが、前記綴じ具では抜止ピンと丁合体を別個作成することからコスト高となることが予想される。
【０００８】
また、日捲りカレンダーを吊下げる機構としては図６に示すように、溝形部材１０３の天板１０７に紐挿通穴１０８を貫設し、この紐挿通穴１０８に紐１０９を通して環状に結び付けるのが確実、かつ安価となる。しかし紐１０９の厚み分だけ冊子１１０と天板１０７との間に隙間を空けなければならず、この隙間によって冊子１１０がガタついたり、あるいは隙間に埃が溜まるなどの弊害があるために、図７（イ）（ロ）で示すように天板１０７に紐取り付け用環１１１を設けたり、吊下げ片１１２を設けるためにコスト高の一因となっている。
【０００９】
本発明は、以上の点に鑑みて創案されたものであって、抜止ピンが露出することなく、かつ紐と枠体との組合せの綴じ具による日捲りカレンダーを提供することを目的とするものである。
【課題を解決するための手段】
【００１０】
上記の目的を達成するために、本発明に係る日捲りカレンダーは、可燃性素材によって表板、背板および天板が略９０度ごとに折り曲げ形成される枠体と該枠体の天板に取り付けられる紐体とから構成される綴じ具と、該綴じ具の枠体に挟持される多数枚の日捲り紙を重ねて引き揃えた冊子とを備える日捲りカレンダーおいて、前記冊子に貫通される複数の貫通孔に挿入可能とされる前記背板、あるいは表板の内側面に突設される筒体部と、前記筒体部の開口端内に係留可能とされる前記表板、あるいは背板の内側面に突設される係止ピンと、前記天板の両側端に前記冊子上端面との間に前記紐体を収納する空隙を形成するために設けられる覆板と、前記天板の上面に紐挿通孔を備える。
【００１１】
ここで、前記枠体の内側面に突設される係止ピンによって冊子を綴じる構成とするために係止ピンが枠体の外側面に露出することがなく、衝撃などによって抜け落ちることがない。
また、天板の両側端に前記冊子上端面との間に前記紐体を収納する空隙を形成するための覆板を設けることにより、紐による枠体のガタつきを防止し、かつ前記天板の両側端に隙間を生じさせないことにより埃などの侵入を防ぐことが可能となる。
【００１２】
また、前記表板、あるいは背板と天板との接続部に、表板、あるいは背板を開閉自在とされる溝部を形成することにより冊子への着脱が容易に行えることになる。
【００１３】
また、前記枠体が可燃性の合成樹脂素材によって一体成型されることによりランニングコストを低く抑えることができ、かつ可燃物として使用後の冊子と共に廃棄することが可能となる。
【００１４】
また、前記冊子の日捲り紙にQRコードを付けて、参加企業のホームペーシや、情報サイト、鑑賞サイト、あるいは占い・レシピなどの情報が開示されるサイトにリンクすることができる構成とする。
【００１５】
また、前記冊子の日捲り紙の空白部分を切り離し可能なメモ用紙として活用することにより、日捲りとして毎日廃棄されるカレンダーの再利用が可能となり、かつパンチ穴を設けることによってファイリングできる構成とする。
【発明の効果】
【００１６】
本発明の日捲りカレンダーによれば、綴じ具がプラスチック素材などにより一体成型とされる枠体と紐との２点による部品構成であり、冊子への取り付け、あるいは取り外しが容易に行なうことができランニングコストを非常に小さくすることが可能となる。
【００１７】
また、枠体の外表面に係止ピンが露出しないために物などに当接することにより抜け落ちたりすることがなく、かつ外観を損ねることがない。
【００１８】
また、天板の両側端に覆板を設けることにより、紐による枠体のガタつきを防止し、かつ隙間を生じさせないことにより埃などの侵入を防ぐことが可能となる。
【００１９】
また、綴じ具が可燃性素材である枠体および紐より形成されるためにカレンダーの終了時には、綴じ具を付けたままの状態で一般ゴミとして廃棄することもでき、更に分別が必要な場合にはワンタッチにより綴じ具を冊子から容易に取り外すことが可能となる。
【発明を実施するための最良の形態】
【００２０】
以下、本発明の実施の形態を図面を参酌しながら説明し、本発明の理解に供する。
図１は、本発明を適用した日捲りカレンダーの一例を示す斜視図、図２（イ）（ロ）（ハ）は、図１におけるＡ−Ａ線断面説明図、図３は、図１におけるＢ−Ｂ線断面説明図である。
【００２１】
ここで示す日捲りカレンダー１は、多数枚の日捲り紙２を重ねて引き揃えた冊子３と、この冊子３の上端縁に挟着される綴じ具４とから構成される。
【００２２】
前記冊子３は、その上端に接着剤を塗布することによって多数枚の日捲り紙２が互いにバラバラにならないようにホッチキスを使用せずに固着する。そして前記冊子３を構成する各日捲り紙２の上端より下方位置には、破断線５が水平状に設けられる。
【００２３】
この破断線５は、接続部６の保持幅を極力狭く、かつ接続部６の個数を極力少なくすることによって捲る際の負荷を小さくすることができる。
また、前記冊子３の上端部の２個所に貫通孔７が設けられる。
【００２４】
次に、綴じ具４は前記冊子３の上端縁を挟持する枠体１１と、この枠体１１に取り付けられる紐体１７とから構成される。そこで前記枠体１１は、可燃性の合成樹脂材などにより形成され、前記冊子３の幅長さおよび厚さを有する天板８の前後側に表板９および背板１０を略直角状に延設し、かつ前記表板９は前記天板８との接続個所に溝部１５を設けることによって前後方向への開閉が可能となる。
【００２５】
そして前記枠体１１の背板１０の内側面の２個所には前記冊子３の貫通孔７に挿入される筒体部１２が突設され、表板９の内側面には該筒体部１２と対応する位置に係止ピン１３がそれぞれ突設される。
【００２６】
ここで前記係止ピン１３は、その外径が前記筒体部１２の内径と同等、あるいはやや大きめとし、その先端を球面形状とすることにより筒体部１２内に挿入し易くすることにより、前記係止ピン１３を筒体部１２内に挿入した際に、摩擦により容易に抜けない構成とする。
【００２７】
また、前記枠体１１の天板８の２箇所には、紐挿通孔１４が貫設されるとともに該天板８の両側端内側には、紐の厚さを考慮した覆板１６が設けられる。この覆板１６の厚さによって冊子３の上端面と天板８との間に空間部Aが生じ、この空間部A内に紐体１７が挿通された状態となるために枠体１１がガタつくことがない。
【００２８】
次に、前記冊子３の日捲り紙２にQRコードを付けて、参加企業のホームペーシや、情報サイト、鑑賞サイト、あるいは占い・レシピなどの情報が開示されるサイトにリンクできるような構成とする。
【００２９】
また、図４で示すように、日捲り紙２の空いたスペースを利用し、このスペース部分をメモ用紙１９として利用するために罫線を引き、ミシン目２０を設けることによって切り離してメモ用紙１９として利用できる構成とする。
【００３０】
また、前記スペース部分を例えば、通信教育や各種の趣味の教材として利用し、日毎に切り取り、ファイルに保存することができるように、ミシン目２０とパンチ穴１８を設けるような構成とすることもできる。
【００３１】
以上の構成よりなる本発明の日捲りカレンダーは、冊子３の貫通孔７に枠体１１の表板９を開いた状態で、背板１０に突設される筒体部１２を挿入する。そして前記表板９を開いた状態から閉じることにより冊子３の貫通孔７に露出した前記筒体部１２の開口端内に、表致の内側面に該筒体部１２と対応する位置に突設される係止ピン１３がそれぞれ挿入し、係留されるものである。
【００３２】
このようにして冊子３に綴じ具４をワンタッチで取り付けることが可能となり、日捲りカレンダーの終了時には前記綴じ具４はプラスチックなどの可燃性素材より成型されるために、そのままの状態で一般ゴミとして廃棄することができるものであり、また、分別する必要がある場合には、表板９を開くことによって容易に綴じ具４を冊子３から取り外すことができる。
【図面の簡単な説明】
【００３３】
【図１】本発明を適用したに捲りカレンダーの一例を示す斜視図である。
【図２】図１におけるＡ−Ａ線における断面説明図である。
【図３】図１におけるＢ−Ｂ線における断面説明図である。
【図４】本発明を適用したに捲りカレンダーの日捲り紙の活用例を示す説明図である。
【図５】従来の捲りカレンダーの一例を示す説明図である。
【図６】従来の捲りカレンダーの紐の取り付けの一例を示す説明図である。
【図７】従来の捲りカレンダーの紐の取り付けの他の例を示す説明図である。
【符号の説明】
【００３４】
１      日捲りカレンダー
２      日捲り紙
３      冊子
４      綴じ具
５      破断線
６      接続部
７      貫通孔
８      天板
９      表板
１０    背板
１１    枠体
１２    筒体部
１３    係止ピン
１４    紐挿通孔
１５    溝部
１６    覆板
１７    紐体
１８    パンチ穴
１９    メモ用紙
２０    ミシン目
【図１】
2008105183.tif 000003
【図２】
2008105183.tif 000004
【図３】
2008105183.tif 000005
【図４】
2008105183.tif 000006
【図５】
2008105183.tif 000007
【図６】
2008105183.tif 000008
【図７】
2008105183.tif 000009